(57)【要約】【課題】運用したまま新たな構造を付与し、アンテナ付衛星装置自体の延命対策と回線確保上の安全性の向上を実現する。【解決手段】予め複数の部品に分割された第一の部品群を結合させてアンテナ付衛星装置の放射軸を中心とする円弧状のスリットを形成し、予め複数の部品に分割された第二の部品群を結合させることにより、第一の部品群とスリットを貫通するネジを用いて固着されるネジ穴を有する板面を複数備えて筐体の外周を覆う金具を形成し、台座とアンテナ付衛星装置との間隙に締結金具を挿入してから、この締結金具と第二の部品群とはネジを用いて固着し、この締結金具と台座とは、筐体を前記台座に固定するために予め用いられているネジに相応するネジにより固着する。【選択図】図１
2008124608.tif 000002
【特許請求の範囲】
【請求項１】
台座に固定されたアンテナ付衛星装置をさらに強固に固定する設置金具において、
前記台座と前記アンテナ付衛星装置の筐体との間には予め所定の間隙が設けられ、
予め複数の部品に分割され、これらの部品を結合させることにより前記筐体の外周を覆う金具として形成され、前記複数の部品の中の２以上の部品には、前記複数の部品を結合させたときに、前記アンテナ付衛星装置の放射軸を中心とする円弧状のスリットが形成される板面を備えた第一の部品群と、
予め複数の部品に分割され、前記第一の部品群と前記スリットを貫通するネジを用いて固着されるネジ穴を有する板面を複数備え、前記筐体の外周を覆う金具を形成する第二の部品群と、
前記間隙に挿入され、前記第二の部品群とはネジを用いて固着され、前記台座とは、前記筐体を前記台座に固定するために予め用いられているネジに相応するネジにより固着される締結金具と
を備えたことを特徴とする設置金具。
【請求項２】
前記第一の部品群は、４つの部品により構成され、
前記スリットは、前記筐体の左右に２個ずつ設けられ、
前記第二の部品群は、２つの部品により構成され、
前記第二の部品群と前記第一の部品群との固着箇所の個数は、４つの前記スリットのそれぞれについて均等の個数である
請求項１記載の設置金具。
【請求項３】
前記第一および第二の部品群を構成する部品および前記締結金具はステンレス鋼により形成された請求項１または２記載の設置金具。
【請求項４】
前記第一および第二の部品群を構成する各部品および前記締結金具には、これらを相互に結合させるネジが貫通するネジ穴が複数設けられ、
この複数のネジ穴の一部または全部は、丸穴とタップ穴とがそれぞれ隣接して配置された
請求項１ないし３のいずれかに記載の設置金具。
【請求項５】
台座に固定されたアンテナ付衛星装置をさらに強固に固定する補強方法において、
前記台座と前記アンテナ付衛星装置の筐体との間には予め所定の間隙が設けられ、
予め複数の部品に分割された第一の部品群を結合させて前記アンテナ付衛星装置の放射軸を中心とする円弧状のスリットを形成し、
予め複数の部品に分割された第二の部品群を結合させることにより、前記第一の部品群と前記スリットを貫通するネジを用いて固着されるネジ穴を有する板面を複数備えて前記筐体の外周を覆う金具を形成し、
前記間隙に締結金具を挿入してから、この締結金具と前記第二の部品群とはネジを用いて固着し、この締結金具と前記台座とは、前記筐体を前記台座に固定するために予め用いられているネジに相応するネジにより固着する
ことを特徴とする補強方法。
【発明の詳細な説明】
【技術分野】
【０００１】
本発明は、衛星通信等に用いられるマイクロ波帯送受信装置（例えば、特許文献１参照）に利用する。特に、屋外に設置されるマイクロ波帯送受信装置（これをアンテナ付衛星装置（ＯＤＵ）と呼ぶ）の設置技術に関する。
【背景技術】
【０００２】
従来のアンテナ付衛星装置を図２１を参照して説明する。図２１は従来のアンテナ付衛星装置の設置形態を示す図である（特許文献１参照）。図２１に示すような衛星通信等に用いられるアンテナ付衛星装置では、アンテナ本体への固定部材の材料はプラスチック材のため、屋外環境下では長時間の使用に課題がある。また、図２１では水平面に設置されているように図示してあるが、実際には、水平面に安定的に設置される場合は少なく、傾斜状態で設置されることが多く、常に応力がかかるため、クリープが促進されて破損またはクラックが起き易くなる。さらに、屋外に設置されるので常に風雨にさらされるため、風圧等によっても応力がかかる。また、固定ビスの締付力が強過ぎると破損またはクラックが起き易くなる。あるいは、カラスや鳶などの大型の鳥がとまるなどの予期しない外力によっても破損またはクラックが起き易くなる。破損またはクラックが起きるとそこから雨水などが入り、電子部品が故障する可能性がある。
【０００３】
このような課題を抱えている中で、ユーザからは更なるアンテナ付衛星装置自体の延命対策と回線確保上の安全性の向上が要求されている。
【０００４】
【特許文献１】特開昭６２−１７９２２８号公報
【発明の開示】
【発明が解決しようとする課題】
【０００５】
ユーザは、単に、アンテナ付衛星装置自体の延命対策と回線確保上の安全性の向上を要求するだけではなく、運用したまま（回線を止めることなく）の状態で延命対策と安全性の向上を行うことを要求している。また、任意の設置角度（基本的には３６０度）に対応可能な構造を要求している。
【０００６】
本発明は、このような背景の下に行われたものであって、運用したまま新たな構造を付与し、アンテナ付衛星装置自体の延命対策と回線確保上の安全性の向上を実現することができるアンテナ付衛星装置の設置金具および補強方法を提供することを目的とする。
【課題を解決するための手段】
【０００７】
本発明は、台座に固定されたアンテナ付衛星装置をさらに強固に固定する設置金具であって、本発明の特徴とするところは、前記台座と前記アンテナ付衛星装置の筐体との間には予め所定の間隙が設けられ、予め複数の部品に分割され、これらの部品を結合させることにより前記筐体の外周を覆う金具として形成され、前記複数の部品の中の２以上の部品には、前記複数の部品を結合させたときに、前記アンテナ付衛星装置の放射軸を中心とする円弧状のスリットが形成される板面を備えた第一の部品群と、予め複数の部品に分割され、前記第一の部品群と前記スリットを貫通するネジを用いて固着されるネジ穴を有する板面を複数備え、前記筐体の外周を覆う金具を形成する第二の部品群と、前記間隙に挿入され、前記第二の部品群とはネジを用いて固着され、前記台座とは、前記筐体を前記台座に固定するために予め用いられているネジに相応するネジにより固着される締結金具とを備えたところにある。
【０００８】
これにより、既存品の台座をそのまま利用し、アンテナ付衛星装置をさらに強固に固定することができる。すなわち、本発明を補強方法としての観点から観ると、本発明は、台座に固定されたアンテナ付衛星装置をさらに強固に固定する補強方法であって、前記台座と前記アンテナ付衛星装置の筐体との間には予め所定の間隙が設けられ、予め複数の部品に分割された第一の部品群を結合させて前記アンテナ付衛星装置の放射軸を中心とする円弧状のスリットを形成し、予め複数の部品に分割された第二の部品群を結合させることにより、前記第一の部品群と前記スリットを貫通するネジを用いて固着されるネジ穴を有する板面を複数備えて前記筐体の外周を覆う金具を形成し、前記間隙に締結金具を挿入してから、この締結金具と前記第二の部品群とはネジを用いて固着し、この締結金具と前記台座とは、前記筐体を前記台座に固定するために予め用いられているネジに相応するネジにより固着することを特徴とする。
【０００９】
このように、一つの金具を複数の部品を結合することによって形成することにより、アンテナ付衛星装置を台座に乗せたままの状態で、上下左右からアンテナ付衛星装置の筐体を挟み込むようにして、金具の取付作業を行うことができる。金具の取付作業が完了した後に、初めて、アンテナ付衛星装置の筐体を台座に固定するために予め用いられているネジを外し、このネジに相応するネジを用いて締結金具の台座への取付けを行うが、このときにも、アンテナ付衛星装置の設置位置は動かす必要がなく、この間にも回線を確保することができる。
【００１０】
例えば、前記第一の部品群は、４つの部品により構成され、前記スリットは、前記筐体の左右に２個ずつ設けられ、前記第二の部品群は、２つの部品により構成され、前記第二の部品群と前記第一の部品群との固着箇所の個数は、４つの前記スリットのそれぞれについて均等の個数である。
【００１１】
また、前記第一および第二の部品群を構成する部品および前記締結金具はステンレス鋼により形成されることが望ましい。これにより、機械的強度が向上し、仮に既存品に破損またはクラックが発生していたとしても安全かつ確実にアンテナ付衛星装置を長期間にわたり強固に固定することができる。
【００１２】
また、前記第一および第二の部品群を構成する各部品および前記締結金具には、これらを相互に結合させるネジが貫通するネジ穴が複数設けられ、この複数のネジ穴の一部または全部は、丸穴とタップ穴とがそれぞれ隣接して配置されるようにすることができる。
【００１３】
これによれば、丸穴を用いてネジとナットとを使って結合させることもできるし、タップ穴を用いてネジのみで結合させることもできる。これにより、現場の状況に合せて作業の効率化が図れる方法を選択することができる。
【発明の効果】
【００１４】
第一の効果は、アンテナ付衛星装置設置金具の素材をステンレスにしたことにより、機械的強度が向上し、仮に既存品に破損またはクラックが発生していたとしても安全かつ確実なアンテナ付衛星装置の固定が長期間において維持できるところにある。
【００１５】
第二の効果は、構成部品の一部に円弧状のスリットを設け、このスリットを貫通するネジ用いて固着するネジ穴を有する板面を複数設けることにより、日本各地における受信偏波の傾き角度に対応することができるところにある。
【００１６】
第三の効果は、既存品の設置具と併用できる構造であるため、回線を切断しないで金具の取付工事ができるところにある。
【発明を実施するための最良の形態】
【００１７】
本発明の実施例を図１および図２に示す。図１の実施例は、オフセットアンテナへの取付例であり、図２の実施例は、プライムフォーカスアンテナへの取付例である。以下では、アンテナ付衛星装置をＯＤＵと記す。
【００１８】
本実施例を構成している部品を図３〜図７に示す。図７は固定ネジ類を示す。図７は参考例であって、図７に示した固定ネジ類以外であっても、適宜、適切な固定ネジ類を選択して使用すればよい。さらに、既存品を図８に示す。既存品は、図８に示すように、アンテナ８を含むＯＤＵ９の本体と、ＯＤＵ９の本体を乗せて固定する台座１１と、台座１１が取り付けられているＯＤＵ取付アーム１０とからなる。なお、図８に示すＯＤＵ９の筐体の周囲には、放熱用のフィンが設けられているが、他の図面では、フィンの図示は省略した。
【００１９】
以下では、組み立て手順を図９〜図２０を参照して説明する。
【００２０】
図３に示すＯＤＵ押込金具１を２個と、図４に示すＯＤＵ押込金具２を２個とを図９に示すように配置し、図１０に示すように固定ネジ７で固定する。これにより、ＯＤＵ９とＯＤＵ押込金具１（２個）とＯＤＵ押込金具２（２個）とが一体となる。図１１に示すように、固定ネジ７の挿入はＯＤＵ９の取付角度から作業（締め付け）し易い方向を選べるように２種類の取付穴（タップ穴と丸穴）を設けている。
【００２１】
その後、図１２に示すように、図８に示す既存品の台座取付ネジ１２の１箇所を外し、図１３に示すように、ＯＤＵ９の下側に、図５に示す締結金具３を挿入し、図１４に示すように、台座取付ネジ穴に固定ネジ５を挿入してナット１３で固定する。また、適宜、ワッシャ１４を用いる。このとき、台座取付ネジ１２が劣化していなければ、新たな固定ネジ５を用いずに、台座取付ネジ１２を再び利用してもよい。
【００２２】
その後、図１５に示すように、図６に示すＯＤＵ押込金具受け金具４をそれぞれＯＤＵ９の両側から取り付け、図１６に示すように、締結金具３と固定ネジ７により固定する。
【００２３】
さらにＯＤＵ押込金具受け金具４とＯＤＵ押込金具１とを図１７に示すように、固定ネジ６（適宜、ワッシャ１４を使用）により固定するが、このとき、ＯＤＵ９の設置角度によりＯＤＵ押込金具受け金具４の使用する固定穴が異なる。図１８から図２０にＯＤＵ９の角度と固定穴の関係を示す。
【００２４】
図１８（ａ）に示すように、ＯＤＵ９の偏波角がほとんど付いていない場合は、図１８（ｂ）で示す取付穴を用い、図１９（ａ）に示すように、ＯＤＵ９の偏波角が右回りに傾いている場合は、図１９（ｂ）で示す取付穴を用い、図２０（ａ）に示すように、ＯＤＵ９の偏波角が左回りに傾いている場合は、図２０（ｂ）で示す取付穴を用いることにより、ほぼ３６０度の角度に対応が可能である。
【産業上の利用可能性】
【００２５】
本発明によれば、事業者にとってはアンテナ付衛星装置自体の延命を図ることができ、経費の節減を図ることができると共に、回線故障のリスクを軽減することができる。ユーザにとっては回線故障のリスクが軽減されることにより品質の高いサービスを享受することができる。
【図面の簡単な説明】
【００２６】
【図１】オフセットアンテナへの取付例を示す図。
【図２】プライムフォーカスアンテナへの取付例を示す図。
【図３】ＯＤＵ押込金具１を示す図。
【図４】ＯＤＵ押込金具２を示す図。
【図５】締結金具を示す図。
【図６】ＯＤＵ押込金具受け金具を示す図。
【図７】固定ネジ類を示す図。
【図８】既存品を示す図。
【図９】組み立て工程（ＯＤＵ押込金具１および２の組み立て）を示す図。
【図１０】組み立て工程（ＯＤＵ押込金具１および２の組み立て）を示す図。
【図１１】組み立て工程（ネジ穴部分）を示す図。
【図１２】組み立て工程（既存品からの台座固定ネジの取り外し）を示す図。
【図１３】組み立て工程（締結金具の挿入）を示す図。
【図１４】組み立て工程（取付ネジによる固定）を示す図。
【図１５】組み立て工程（ＯＤＵ押込金具受け金具の取り付け）を示す図。
【図１６】組み立て工程（ＯＤＵ押込金具受け金具と締結金具との結合）を示す図。
【図１７】組み立て工程（ＯＤＵ押込金具２とＯＤＵ押込金具受け金具との結合）を示す図。
【図１８】組み立て工程（偏波角無し）を示す図。
【図１９】組み立て工程（偏波角右回り）を示す図。
【図２０】組み立て工程（偏波角左回り）を示す図。
【図２１】従来のアンテナ付衛星装置を示す図。
【符号の説明】
【００２７】
１、２  ＯＤＵ押込金具
３  締結金具
４  ＯＤＵ押込金具受け金具
５〜７  固定ネジ
８  アンテナ
９  ＯＤＵ
１０  ＯＤＵ取付アーム
１１  台座
１２  台座取付ネジ
１４  ワッシャ
【図１】
2008124608.tif 000003
【図２】
2008124608.tif 000004
【図３】
2008124608.tif 000005
【図４】
2008124608.tif 000006
【図５】
2008124608.tif 000007
【図６】
2008124608.tif 000008
【図７】
2008124608.tif 000009
【図８】
2008124608.tif 000010
【図９】
2008124608.tif 000011
【図１０】
2008124608.tif 000012
【図１１】
2008124608.tif 000013
【図１２】
2008124608.tif 000014
【図１３】
2008124608.tif 000015
【図１４】
2008124608.tif 000016
【図１５】
2008124608.tif 000017
【図１６】
2008124608.tif 000018
【図１７】
2008124608.tif 000019
【図１８】
2008124608.tif 000020
【図１９】
2008124608.tif 000021
【図２０】
2008124608.tif 000022
【図２１】
2008124608.tif 000023